(57)【要約】【課題】組電池の複数の二次電池モジュール間の温度差を小さくすること【解決手段】  組電池システム１００の制御装置１０６は、予め定められた基準となる温度ＴＡを設定する。そして、温度センサに基づいて、複数の二次電池モジュール１２０（１）〜１２０（ｎ）のうち、温度ＴＡよりも予め定められた第１温度Ｘ１以上高い二次電池モジュールについて分配機構１０３を操作して、冷媒流路１０２からより多くの冷媒を分配する。さらに、温度センサに基づいて、複数の二次電池モジュール１２０（１）〜１２０（ｎ）のうち、温度ＴＡよりも予め定められた第２温度Ｘ２以上高い二次電池モジュールについて放熱機構１０４を操作して、当該二次電池モジュールからより多く放熱する。ここで、第２温度Ｘ２は第１温度Ｘ１よりも高い温度で設定されている。【選択図】図１
2017098018.tif 000002
【特許請求の範囲】
【請求項１】
複数の二次電池モジュールを備えた組電池と、
前記複数の二次電池モジュールをそれぞれ通るように設けられた冷媒流路と、
前記複数の二次電池モジュールの各二次電池モジュールに向けて前記冷媒流路を分配する分配機構と、
前記複数の二次電池モジュールにそれぞれ設けられた放熱機構と、
前記複数の二次電池モジュールにそれぞれ取付けられた温度センサと、
制御装置と
を備え、
前記制御装置は、
予め定められた基準となる温度ＴＡを設定する処理Ａと、
前記温度センサに基づいて、前記複数の二次電池モジュールのうち、前記温度ＴＡよりも予め定められた第１温度Ｘ１以上高い二次電池モジュールを抽出し、当該抽出した二次電池モジュールについて前記分配機構を操作して前記冷媒流路からより多くの冷媒を分配する処理Ｂと、
前記温度センサに基づいて、前記複数の二次電池モジュールのうち、前記温度ＴＡよりも予め定められた第２温度Ｘ２以上高い二次電池モジュールを抽出し、当該抽出した二次電池モジュールについて前記放熱機構を操作して当該二次電池モジュールからより多く放熱する処理Ｃと
を実行する、
ここで、前記第２温度Ｘ２は前記第１温度Ｘ１よりも高い温度で設定されている、
組電池システム。
【発明の詳細な説明】
【技術分野】
【０００１】
本発明は、組電池システムに関する。
【背景技術】
【０００２】
特開２０１５−８２３５３号公報には、複数個の二次電池のうち温度が高いものに、低温度の冷媒が熱的に接触するように冷媒流路の切り替える冷却機構を備えた二次電池モジュールが開示されている。また、ここでは、二次電池モジュール内の電池温度のばらつきが抑えられるとされている。
【先行技術文献】
【特許文献】
【０００３】
【特許文献１】特開２０１５−８２３５３号公報
【発明の概要】
【発明が解決しようとする課題】
【０００４】
複数個の二次電池を備えた二次電池モジュールは、さらに複数組み合わされて組電池が構成される場合がある。例えば、ハイブリッド車両やプラグインハイブリッド車両や電気自動車のような用途では、車両を駆動させるための電源として大きな出力が要求される。この場合、複数個の二次電池を備えた二次電池モジュールを、さらに直列に接続して高い出力を実現する。本発明者は、このように二次電池モジュールが複数組み合わされた組電池において、二次電池モジュール間の温度差を小さくしたいと考えており、そのための新規な組電池システムを提案する。
【課題を解決するための手段】
【０００５】
ここで提案される組電池システムは、組電池と、冷媒流路と、分配機構と、放熱機構と、温度センサと、制御装置とを備えている。組電池は、複数の二次電池モジュールを備えている。冷媒流路は、複数の二次電池モジュールをそれぞれ通るように設けられている。分配機構は、複数の二次電池モジュールの各二次電池モジュールに向けて冷媒流路を分配する機構である。放熱機構は、複数の二次電池モジュールにそれぞれ設けられた機構である。温度センサは、複数の二次電池モジュールにそれぞれ取付けられている。
制御装置は、以下の処理Ａ〜Ｃを実行する。
処理Ａは、予め定められた基準となる温度ＴＡを設定する処理である。
処理Ｂは、前記温度センサに基づいて、複数の二次電池モジュールのうち、温度ＴＡよりも予め定められた第１温度Ｘ１以上高い二次電池モジュールを抽出し、当該抽出した二次電池モジュールについて分配機構を操作して冷媒流路からより多くの冷媒を分配する処理である。
処理Ｃは、温度センサに基づいて、複数の二次電池モジュールのうち、温度ＴＡよりも予め定められた第２温度Ｘ２以上高い二次電池モジュールを抽出し、当該抽出した二次電池モジュールについて放熱機構を操作して当該二次電池モジュールからより多く放熱する処理である。ここで、第２温度Ｘ２は、処理Ｂの第１温度Ｘ１よりも高い温度で設定されている。
【０００６】
この組電池システムによれば、組電池の複数の二次電池モジュール間の温度差が小さくなるように、各二次電池モジュールの分配機構と放熱機構とが制御されうる。そして、二次電池モジュールの温度上昇が全体的に低く抑えられる。
【図面の簡単な説明】
【０００７】
【図１】図１は、ここで提案される組電池システムを模式的に示す模式図である。
【図２】図２は、組電池１０１の模式図である。
【図３】図３は、放熱機構１０４の構造を示す模式図である。
【図４】図４は、制御装置１０６の処理を示すフローチャートである。
【発明を実施するための形態】
【０００８】
以下、ここで提案される組電池システムについて一実施形態を説明する。ここで説明される実施形態は、当然ながら本発明を限定することを意図したものではない。また、各図は模式的に描かれており、例えば、各図における寸法関係（長さ、幅、厚さ等）は実際の寸法関係を反映するものではない。
【０００９】
図１は、ここで提案される組電池システムを模式的に示す模式図である。
ここで提案される組電池システム１００は、組電池１０１と、冷媒流路１０２と、分配機構１０３と、放熱機構１０４と、温度センサ１０５と、制御装置１０６とを備えている。
【００１０】
組電池１０１は、図１に示すように、複数の二次電池モジュール１２０（１），１２０（２）〜１２０（ｎ）を備えている。ここで、符号に添えた括弧内の文字は、各部材・部位を区別するための文字である。組電池１０１のうち特定の二次電池モジュールに言及しない場合には、二次電池モジュールは、単に「二次電池モジュール１２０」と称する。
【００１１】
図２は、組電池１０１の模式図である。図２では、複数の二次電池モジュール１２０（１）〜１２０（ｎ）のうち、二次電池モジュール１２０（１）、１２０（２）の模式的な平面図であり、分配機構１０３が図示されている。なお、図２には、放熱機構１０４は図示されていない。
【００１２】
図２に示すように、１つの二次電池モジュール１２０には、複数（ここでは、５つ）の二次電池１２１（単電池）が含まれている。二次電池モジュール１２０に含まれた複数の二次電池１２１は、それぞれ角型のケース１２２に収容されている。ケース１２２の上側面には、正極端子１２３と負極端子１２４が設けられている。二次電池モジュール１２０に含まれた複数の二次電池１２１は、上側面を同じ方向に揃えて並べられている。正極端子１２３と負極端子１２４とは、上側面の両側部に離れて配置されている。この実施形態では、二次電池モジュール１２０の隣り合う二次電池１２１の向きが順に変えられている。隣り合う二次電池１２１の正極端子１２３と負極端子１２４とが近くに配置されている。隣り合う二次電池１２１の正極端子１２３と負極端子１２４とは、バスバー１２５によって接続されている。このように二次電池モジュール１２０に含まれる複数の二次電池１２１は順に直列に接続されている。
【００１３】
図２に示すように、組電池１０１の隣接する二次電池モジュール１２０（１），１２０（２）は、ケーブル１２６によって電気的に直列に接続されている。ケーブル１２６は、二次電池モジュール１２０（１）の直列に接続された複数の二次電池１２１のうち末端に接続された二次電池１２１の負極端子１２４と、当該二次電池モジュール１２０（１）に隣接する二次電池モジュール１２０（２）の先頭の二次電池１２１の正極端子１２３とを接続している。同様に、組電池１０１の複数の二次電池モジュール１２０（１）〜１２０（ｎ）は、順に直列に接続されている。
【００１４】
冷媒流路１０２は、図１に示すように、複数の二次電池モジュール１２０（１）〜１２０（ｎ）をそれぞれ通るように設けられている。この実施形態では、冷媒流路１０２は、図２に示すように、複数の二次電池モジュール１２０（１）〜１２０（ｎ）の各二次電池１２１のケース１２２の上側面に沿って配置されている。冷媒流路１０２は、より具体的には、各二次電池１２１のケース１２２の上側面において、正極端子１２３と負極端子１２４との間の中間に沿って設けられている。この実施形態では、冷媒流路１０２の一端にブロア１３０が取付けられている。ブロア１３０は、外気（組電池１０１の外部の空気）を冷媒流路１０２に供給する。冷媒流路１０２は、二次電池モジュール１２０を通過する部位において下面が開口している。各二次電池１２１のケース１２２の上側面は、冷媒流路１０２に露出している。冷媒流路１０２を通る冷媒は、複数の二次電池モジュール１２０（１）〜１２０（ｎ）を通過する際に、二次電池モジュール１２０の各二次電池１２１の上側面から熱を奪い、二次電池１２１の温度を下げる。
【００１５】
なお、かかる構造では、複数の二次電池モジュール１２０（１）〜１２０（ｎ）は、例えば、冷媒流路１０２の上流側に位置する二次電池モジュール１２０（１）が最も温度が下がりやすい。そして、下流側に行くほど、冷媒流路１０２を流れる空気の温度が少しずつ高くなる傾向がある。このため、冷媒流路１０２の下流側ほど、二次電池モジュール１２０の温度を下げる効果が小さくなる。ここでは、分配機構１０３と放熱機構１０４と制御装置１０６とによって、冷媒流路１０２の下流側の二次電池モジュール１２０の温度が低く抑えられるように構成されている。なお、冷媒流路１０２は、複数の二次電池モジュール１２０（１）〜１２０（ｎ）をそれぞれ通るように設けられており、二次電池モジュール１２０に冷媒を導く流路を形成するものであればよく、必ずしも上記の形態に限定されない。
【００１６】
分配機構１０３は、複数の二次電池モジュール１２０（１）〜１２０（ｎ）の各二次電池モジュール１２０に向けて冷媒流路１０２を分配する機構である。この実施形態では、分配機構１０３は、図２に示すように、ルーバ１０３ａと、操作機構１０３ｂと、駆動装置１０３ｃとを備えている。ルーバ１０３ａは、冷媒流路１０２の側面に設けられており、冷媒流路１０２を側方に向けて開放したり、側方への開放を閉じたりする部材である。操作機構１０３ｂは、ルーバ１０３ａを操作する機構である。駆動装置１０３ｃは、操作機構１０３ｂを駆動させる装置である。ここで、駆動装置１０３ｃは、例えば、制御装置１０６によって制御される。駆動装置１０３ｃは、例えば、サーボモータで構成されうる。
【００１７】
制御装置１０６は、複数の二次電池モジュール１２０（１）〜１２０（ｎ）に対して、二次電池モジュール１２０毎に駆動装置１０３ｃを通じて分配機構１０３を操作する。例えば、図２の二次電池モジュール１２０（１）では、ルーバ１０３ａが閉じられている。ルーバ１０３ａが閉じられた二次電池モジュール１２０（１）の各二次電池１２１では、冷媒は冷媒流路１０２を流れており、各二次電池１２１は、ケース１２２の上側面を中心に温度が下げられる。二次電池モジュール１２０（２）では、ルーバ１０３ａが開かれている。ルーバ１０３ａが開かれた二次電池モジュール１２０（２）の各二次電池１２１では、冷媒流路１０２から、冷媒流路１０２の両側にある正極端子１２３と負極端子１２４とに向けて冷媒（この実施形態では、外気）が流れる。なお、分配機構１０３の具体的な構造は、図２の形態に限定されない。例えば、ルーバ１０３ａの構造は、図示例に限定されない。
【００１８】
放熱機構１０４は、図１に示すように、複数の二次電池モジュール１２０（１）〜１２０（ｎ）にそれぞれ設けられた機構である。放熱機構１０４は、各二次電池モジュール１２０から熱がより多く逃げるように構成されている。図３は、放熱機構１０４の構造を示す模式図である。ここで、図３は、冷媒流路１０２の中心線に沿って二次電池モジュール１２０（１）を縦断した縦断側面図が模式的に示されている。図３では、分配機構１０３の図示は省略されている。図３では、二次電池モジュール１２０（１）だけが図示されているが、組電池１０１の他の二次電池モジュール１２０（２）〜１２０（ｎ）も、放熱機構１０４について二次電池モジュール１２０（１）と同様の構造を備えている。
【００１９】
二次電池モジュール１２０（１）の各二次電池１２１の間には、図３に示すように、スペーサ１２１ａが介在している。充放電などによって二次電池１２１が発熱した際には、スペーサ１２１ａによって設けられる間隙を通じて熱が上方に上がっていく。放熱機構１０４は、図３に示すように、ルーバ１０４ａと、操作機構１０４ｂと、駆動装置１０４ｃとを備えている。ルーバ１０４ａは、冷媒流路１０２の上側面（天面）に設けられている。冷媒流路１０２を上方に向けて開放したり、上方への開放を閉じたりする部材である。操作機構１０４ｂは、ルーバ１０４ａを操作する機構である。駆動装置１０４ｃは、操作機構１０４ｂを駆動させる装置である。ここで、駆動装置１０４ｃは、例えば、制御装置１０６によって制御される。駆動装置１０４ｃは、例えば、サーボモータで構成されうる。
【００２０】
制御装置１０６は、複数の二次電池モジュール１２０（１）〜１２０（ｎ）に対して、二次電池モジュール１２０毎に駆動装置１０４ｃを通じて放熱機構１０４を操作する。例えば、図３では、ルーバ１０４ａが開かれた状態が図示されている。駆動装置１０４ｃが操作されることによって、ルーバ１０４ａは閉じられる。なお、本制御がスタートする際には、ルーバ１０４ａは閉じられている。そして、例えば、ハイレートの充放電によって二次電池１２１の発熱量が高くなり、冷媒流路１０２に熱気が入るような場合に、ルーバ１０４ａが開かれる。このような場合にルーバ１０４ａが開かれると、冷媒流路１０２から上方に熱が逃がされ、冷媒流路１０２の温度が下がるとともに、当該二次電池モジュール１２０において、より多くの熱が二次電池１２１から放出される。なお、放熱機構１０４の具体的な形態は、図３の形態に限定されない。例えば、ルーバ１０４ａの構造は、図示例に限定されない。
【００２１】
温度センサ１０５は、複数の二次電池モジュール１２０（１）〜１２０（ｎ）にそれぞれ取付けられている。この実施形態では、温度センサ１０５は、図２に示すように、二次電池モジュール１２０に取付けられている。温度センサ１０５は、例えば、二次電池モジュール１２０の複数の二次電池１２１のうちの１つに取付けられていてもよい。図２に示す例では、温度センサ１０５は、二次電池モジュール１２０の５つの二次電池１２１のうち真ん中（３番目）に配置された二次電池１２１の負極端子１２４に取付けられている。負極端子１２４のように電極端子は、二次電池１２１のケース１２２内部に配置された電極体に繋がっている。また、電極端子は、金属部品であり、二次電池１２１の内部の熱が伝わりやすい。このため、電極端子の温度は、二次電池１２１の内部の温度に起因して敏感に変化しやすい。このように、温度センサ１０５を負極端子１２４に取付けることによって、二次電池１２１の温度を精度良く検知できる。なお、ここでは、温度センサ１０５は、負極端子１２４に取付けられているが、温度センサ１０５を取付ける位置は、負極端子１２４に限定されない。
【００２２】
制御装置１０６は、以下の処理Ａ〜Ｃを実行する。制御装置１０６は、例えば、演算装置と記憶装置を備え、かつ、予め定められたプログラムに沿って電気的な処理を行なうコンピュータによって具現化されうる。制御装置１０６は、車両用途では、例えば、車両に搭載される電源制御装置の一機能として組み込まれうる。また、制御装置１０６は、電源制御装置以外にも車両の搭載される他のコントロールユニットに組み込まれていてもよい。
【００２３】
図４は、制御装置１０６の処理を示すフローチャートである。図４では、制御装置１０６の処理Ａ〜Ｃを具現化するための一実施例が示されている。当該制御は、車両用途では、例えば、イグニションスイッチがＯＮになった際に開始される。また、初期状態では、複数の二次電池モジュール１２０（１）〜１２０（ｎ）の分配機構１０３のルーバ１０３ａと放熱機構１０４のルーバ１０４ａはそれぞれ閉じられている。処理Ａは、予め定められた基準となる温度ＴＡを設定する処理である。
【００２４】
この実施形態では、図４に示すように、制御装置１０６は、温度センサ１０５に基づいて、複数の二次電池モジュール１２０（１）〜１２０（ｎ）の温度Ｔ（１）〜Ｔ（ｎ）を検知する（Ｓ１０１）。ここで、括弧内の文字は、複数の二次電池モジュール１２０（１）〜１２０（ｎ）毎に区別するために付している。次に、基準となる温度ＴＡを設定する（Ｓ１０２）。この実施形態では、例えば、冷媒流路１０２の最上流部に配置された二次電池モジュール１２０（１）を、基準となる二次電池モジュールとして定める。そして、複数の二次電池モジュール１２０（１）〜１２０（ｎ）のうち、二次電池モジュール１２０（２）〜１２０（ｎ）に対しては、当該二次電池モジュール１２０（１）の温度を、処理Ａにおける基準となる温度ＴＡに設定する。
【００２５】
ここで、冷媒流路１０２の最上流部に配置された二次電池モジュール１２０（１）は、複数の二次電池モジュール１２０（１）〜１２０（ｎ）のうち、ブロア１３０から冷媒流路１０２に供給されて直ぐの冷媒によって温度が下げられる。複数の二次電池モジュール１２０（１）〜１２０（ｎ）が同程度に充放電されて同程度に発熱する場合、二次電池モジュール１２０（１）は最も温度が低く維持され易い。このため、複数の二次電池モジュール１２０（１）〜１２０（ｎ）のうち、二次電池モジュール１２０（２）〜１２０（ｎ）に対しては、二次電池モジュール１２０（１）の温度Ｔ（１）が基準の温度ＴＡとなるように予め定めるとよい。なお、当該処理Ａにおいて、基準となる二次電池モジュールの温度に基づいて基準となる温度ＴＡが設定される場合には、組電池１０１の構造や冷媒流路１０２の構造を考慮して、適当な二次電池モジュール１２０を基準となる二次電池モジュールに定めると良い。
【００２６】
また、この実施形態において、二次電池モジュール１２０（１）に対しての基準の温度ＴＡは、別途設定されるとよい。例えば、図２に示すように、組電池１０１の外装部材の外側面に設けられた温度センサ１０５ａに基づいて、当該組電池１０１が設置された空間の温度を取得し、当該温度を基準の温度とするとよい。ここでは、組電池１０１が設置された空間の温度を適宜に「外気温」と称する。
【００２７】
処理Ｂは、温度センサ１０５に基づいて、複数の二次電池モジュール１２０（１）〜１２０（ｎ）のうち、温度ＴＡよりも予め定められた第１温度Ｘ１以上高い二次電池モジュールを抽出する。そして、抽出された二次電池モジュールについて分配機構１０３を操作して冷媒流路１０２からより多くの冷媒を分配する。ここで、第１温度Ｘ１は、分配機構１０３を操作するための閾値として予め定められている。第１温度Ｘ１は、例えば、１０℃程度に設定するとよい。
【００２８】
この処理Ｂでは、例えば、Ｓ１０１の処理で取得された、複数の二次電池モジュール１２０（１）〜１２０（ｎ）の温度Ｔ（１）〜Ｔ（ｎ）と、基準となる温度ＴＡとの温度差ｄＴ（１）〜ｄＴ（ｎ）をそれぞれ算出する（Ｓ１０３）。Ｓ１０３の処理では、ｄＴ（１）〜ｄＴ（ｎ）は、｛ｄｔ（ｉ）＝｛Ｔ（ｉ）−ＴＡ｝，ｉ＝１〜ｎ｝の式によって、複数の二次電池モジュール１２０（１）〜１２０（ｎ）の温度Ｔ（１）〜Ｔ（ｎ）について順次算出される。この実施形態では、Ｓ１０３の処理において、二次電池モジュール１２０（１）の基準となる温度ＴＡは、外気温に設定されている。また、他の二次電池モジュール１２０（２）〜１２０（ｎ）の基準となる温度ＴＡは、二次電池モジュール１２０（１）の温度Ｔ（１）に設定されている。つまり、ｄＴ（１）は、ｄＴ（１）＝｛Ｔ（１）−ＴＡ（外気温）｝の式によって算出される。ｄＴ（２）は、ｄＴ（２）＝｛Ｔ（２）−ＴＡ（Ｔ（１））｝の式によって算出される。
【００２９】
そして、温度差ｄＴ（１）〜ｄＴ（ｎ）が、第１の閾値として予め定められた第１温度Ｘ１以上であるか否かを判定する（Ｓ１０４）。そして、温度差ｄＴが第１温度Ｘ１以上である場合（Ｙｅｓ）には、当該二次電池モジュール１２０の分配機構１０３を操作して、冷媒流路１０２からより多くの冷媒を分配する（Ｓ１０５）。この実施形態では、分配機構１０３は、冷媒流路１０２の側面を開放する。そして、冷媒流路１０２の両側に配置された二次電池モジュール１２０の各二次電池１２１の正極端子１２３と負極端子１２４に向けて冷媒（ここでは、冷媒流路１０２を流れる外気）を送る。これによって、当該二次電池モジュール１２０の各二次電池１２１の温度が下がる。
【００３０】
処理Ｃは、温度センサ１０５に基づいて、複数の二次電池モジュール１２０（１）〜１２０（ｎ）のうち、温度ＴＡよりも予め定められた第２温度Ｘ２以上高い二次電池モジュールを抽出する。そして、抽出された二次電池モジュールについて放熱機構１０４を操作して当該二次電池モジュールからより多く放熱する。ここで、第２温度Ｘ２は、処理Ｂの第１温度Ｘ１よりも高い温度で設定されている。例えば、第２温度Ｘ２は、第１温度Ｘ１よりも２０℃程度、高い温度に設定するとよい。
【００３１】
制御装置１０６は、Ｓ１０５の処理で分配機構１０３が操作された二次電池モジュール１２０について、さらに温度差ｄＴが第２の閾値として予め定められた第２温度Ｘ２以上であるか否かを判定する（Ｓ１０６）。そして、温度差ｄＴが第２温度Ｘ２以上である場合（Ｙｅｓ）には、当該二次電池モジュール１２０の放熱機構１０４を操作して、冷媒流路１０２からより多くの熱を放熱する（Ｓ１０７）。これによって、当該二次電池モジュール１２０の温度を下げることができる。
【００３２】
また、Ｓ１０４の処理でｄＴが第１温度Ｘ１以上でない場合（Ｎｏ）や、Ｓ１０６の処理でｄＴが第２温度Ｘ２以上でない場合（Ｎｏ）、さらにＳ１０７の処理で放熱機構１０４が操作された後には、再びＳ１０１の処理に戻される。そして、複数の二次電池モジュール１２０（１）〜１２０（ｎ）の温度Ｔ（１）〜Ｔ（ｎ）が検知され、上記のＳ１０１〜Ｓ１０７の処理が繰り返される。この際、図４に示すように、本制御について適当な終了条件を設定し、終了条件を満たすか否かを判定する判定処理部（Ｓ１０８）を備えていると良い。そして、判定処理に基づいて、終了条件を満たす場合に、制御が終了するように構成されているとよい。終了条件の１つとしては、例えば、車両用途では、イグニションスイッチがＯＦＦになった場合が挙げられる。
【００３３】
かかる制御において、例えば、第１の閾値としての第１温度Ｘ１を１０℃に設定され、第２の閾値としての第２温度Ｘ２を３０℃（Ｘ１＋２０℃）に設定されている。この場合、Ｓ１０４とＳ１０５の処理によって、基準となる温度ＴＡ（外気温または二次電池モジュール１２０（１）の温度）よりも１０℃以上高い二次電池モジュール１２０では分配機構１０３が操作される。そして、分配機構１０３によって冷媒流路１０２から冷媒がより多く分配されて温度が下げられる。
【００３４】
さらに、Ｓ１０６とＳ１０７の処理によって、基準となる温度ＴＡよりも３０℃以上高い二次電池モジュール１２０の放熱機構１０４が操作される。このため、当該二次電池モジュール１２０では、分配機構１０３によって冷媒流路１０２から冷媒がより多く分配されるとともに、放熱機構１０４によってより多く放熱される。これによって、上記の分配機構１０３の操作に加えて放熱機構１０４が操作された当該二次電池モジュール１２０の温度は、より早期に下げられる。
【００３５】
そして、上記のＳ１０１〜Ｓ１０７の処理が繰り返されることによって、各二次電池モジュール１２０（１）〜（ｎ）の分配機構１０３と放熱機構１０４とが、都度操作される。これによって、基準となる温度ＴＡよりも１０℃程度高い二次電池モジュール１２０については、分配機構１０３が操作されて冷媒流路１０２から冷媒がより多く分配されて温度が下げられる。また、基準となる二次電池モジュール１２０（１）よりも３０℃程度高い場合には、上記の分配機構１０３の操作に加えて放熱機構１０４が操作され、より早期に温度が下げられる。このように、各二次電池モジュール１２０（１）〜１２０（ｎ）の温度に応じて、各二次電池モジュール１２０（１）〜１２０（ｎ）の分配機構１０３と放熱機構１０４とがそれぞれ操作される。これによって、各二次電池モジュール１２０（１）〜１２０（ｎ）に対し、冷媒流路１０２による効果が調整される。これによって二次電池モジュール１２０（１）〜（ｎ）間の温度差を小さくできるとともに、二次電池モジュール１２０（１）〜（ｎ）の温度上昇を全体的に低く抑えることができる。
【００３６】
本発明者は、二次電池１２１を５つ備えた二次電池モジュール１２０を５つ直列に接続した組電池１０１を用意した。そして、用意した組電池１０１に取付けた冷媒流路１０２に外気を供給しつつ、予め定められた充放電パターン（ここでは、ハイレートでの充放電が繰り返される車両走行模擬パターン）に応じた電流を印加した。そして、組電池１０１内の各二次電池モジュール１２０（１）〜（５）の温度上昇を評価した。
【００３７】
そして、冷媒流路１０２の側面のルーバ１０３ａと、上側面に設けられたルーバ１０４ａを適宜に開閉する本制御を実施した場合と、本制御を実施せず、冷媒流路１０２に外気を供給するのみとした場合とを比べた。この結果、本制御を実施した場合には、本制御を実施しない場合に比べて、二次電池モジュール１２０（１）〜（５）間の温度差を小さくできた。また、二次電池モジュール１２０（１）〜（５）の温度上昇を全体的に低く抑えることができた。そして、組電池１０１の容量維持率を高く維持でき、抵抗増加率を低く抑えられる。このように、組電池１０１および各二次電池モジュール１２０の電池寿命を長くすることができる。
【００３８】
以上、本発明の一実施形態を説明したが、本発明は上記の形態に限定されない。
【００３９】
例えば、上述した実施形態では、Ｓ１０２の処理において、二次電池モジュール１２０（２）〜１２０（ｎ）に対して、二次電池モジュール１２０（１）の温度Ｔ（１）が基準の温度ＴＡとなっている。基準の温度ＴＡの設定は、かかる形態に限定されない。例えば、複数の二次電池モジュール１２０（１）〜１２０（ｎ）の何れに対しても、組電池１０１が設置された空間の温度（外気温）が、基準の温度ＴＡに設定されてもよい。この場合、例えば、組電池１０１の外側面に設けた温度センサ１０５ａに基づいて検知された温度が基準の温度ＴＡとして設定されるとよい。これによって、組電池１０１が設置された空間の温度（外気温）との温度差に基づいて、各二次電池モジュール１２０に設けられた分配機構１０３と放熱機構１０４とが操作されるようになる。かかる構成でも、組電池１０１の複数の二次電池モジュール１２０（１）〜１２０（ｎ）間の温度差が小さくなるように、各二次電池モジュール１２０の分配機構１０３と放熱機構１０４とが制御されうる。そして、二次電池モジュール１２０（１）〜１２０（ｎ）の温度上昇が全体的に低く抑えられる。そして、組電池１０１の容量維持率を高く維持でき、抵抗増加率を低く抑えられる。
【符号の説明】
【００４０】
１００  組電池システム
１０１  組電池
１０２  冷媒流路
１０３  分配機構
１０３ａ  ルーバ
１０３ｂ  操作機構
１０３ｃ  駆動装置
１０４  放熱機構
１０４ａ  ルーバ
１０４ｂ  操作機構
１０４ｃ  駆動装置
１０５、１０５ａ  温度センサ
１０６  制御装置
１２０  二次電池モジュール
１２１  二次電池
１２１ａ  スペーサ
１２２  ケース
１２３  正極端子
１２４  負極端子
１２５  バスバー
１２６  ケーブル
１３０  ブロア
【図１】
2017098018.tif 000003
【図２】
2017098018.tif 000004
【図３】
2017098018.tif 000005
【図４】
2017098018.tif 000006